(57)【要約】【課題】  安価な製造費で、一台のカメラの動き出し位置を任意に定めてから、上下方向と水平方向に同時に又は分けて動かしたり停止させたりしながら、被写体を様々な方向から様々な角度で思いのままにスムーズに撮影できる装置を提供する。【解決手段】  下端に支持脚を有する垂直レールと、該垂直レールと嵌合して垂直方向に滑動または停止する第１ブロックと、該第１ブロックに固定された第２ブロックと、該第２ブロックと嵌合して水平方向に滑動または停止する水平レールと、該水平レールに固定できるカメラ支持台とから構成。【選択図】図１
0003176240.tif 000002
【実用新案登録請求の範囲】
【請求項１】
下端に支持脚を有する垂直レールと、該垂直レールと嵌合して垂直方向に滑動または停止する第１ブロックと、該第１ブロックに固定された第２ブロックと、該第２ブロックと嵌合して水平方向に滑動または停止する水平レールと、該水平レールに固定できるカメラ支持台とから成る垂直・水平方位撮影装置。
【請求項２】
支持脚の上端の基台に対し、垂直レールの下端の回動台が当接状態で回動または停止できるように構成された請求項１に記載の垂直・水平方位撮影装置。
【請求項３】
垂直レールの上端に滑車を取り付け、前記垂直レールと嵌合して垂直方向に滑動または停止するウエイトを設け、該ウエイトと第１ブロックとを前記滑車を介してロープで連結した請求項１または請求項２に記載の垂直・水平方位撮影装置。
【請求項４】
第１ブロック下端と回動台上端に、第１ブロック上端と垂直レール上端部に、第２ブロックの側端と水平レールの内側端部に、ウエイト取付部上端と垂直レール上端部に、ウエイト取付部下端と回動台上端に、それぞれ衝撃吸収部とストッパーダンパーを相対して取り付けたことを特徴とする請求項３に記載の垂直・水平方位撮影装置。
【請求項５】
垂直レールおよび／または水平レールにボールねじ軸を配設し、該ボールねじ軸の一端にモータを取り付け、第１ブロックおよび／または第２ブロックに前記ボールねじ軸と噛み合うナットを取り付けたことを特徴とする請求項１、請求項２、請求項３又は請求項４に記載の垂直・水平方位撮影装置。
【考案の詳細な説明】
【技術分野】
【０００１】  本考案は、一台のカメラを移動または停止させながら、被写体を様々な角度から思うままに撮影するときに使用する撮影装置に関する。
【背景技術】
【０００２】  一台のカメラを移動または停止させながら、被写体を様々な角度から思うままに撮影する装置としては、特許文献１が存在する。
この先行技術は、平面内に配置したレール上をカメラが自由に滑動するように構成されている。そのため、カメラ自体の位置を上下方向に移しながら被写体を下方から見上げて撮影した映像や被写体を上方から見下ろして撮影した映像などを得ることができない。
【先行技術文献】
【特許文献】
【０００３】
【特許文献１】  実用新案登録第３１６０１４７号
【考案の概要】
【考案が解決しようとする課題】
【０００４】    本考案の技術課題は、上記先行技術が有する問題点を解決し、安価な製造費で、カメラの動き出し位置をカメラマンの思う位置に設定し、一台のカメラを上下方向と水平方向に同時に又は分けて動かしたり停止させたりしながら、被写体を様々な方向から様々な角度で思いのままにスムーズに撮影できる装置を提供することにある。
【課題を解決するための手段】
【０００５】  本考案は、カメラの動き出し位置をカメラマンの思う位置に設定し、一台のカメラを上下方向と水平方向に同時に又は分けて動かしたり停止させたりしながら、被写体を様々な方向から様々な角度で思いのままに撮影できるようにするため、次の手段を採用した。
下端に支持脚を有する垂直レールと、該垂直レールと嵌合して垂直方向に滑動または停止する第１ブロックと、該第１ブロックに固定された第２ブロックと、該第２ブロックと嵌合して水平方向に滑動または停止する水平レールと、該水平レールに固定できるカメラ支持台とから構成した。【０００６】  本考案は、水平レール自体を水平面内で回転させて３６０度の範囲にわたってスムーズに撮影できるようにするため、特に次の手段を採用した。
支持脚の上端の基台に対し、垂直レールの下端の回動台が当接状態で回動または停止できるように構成した。【０００７】  本考案は、重量のあるカメラをスムーズに動かしながら撮影することができるようにするため、特に次の手段を採用した。
垂直レールの上端に滑車を取り付け、前記垂直レールと嵌合して垂直方向に滑動または停止するウエイトを設け、該ウエイトと第１ブロックとを前記滑車を介してロープで連結した。【０００８】  本考案は、滑動する各部品が滑動の終点において生じがちな衝撃を緩和するため、特に次の手段を採用した。
第１ブロック下端と回動台上端に、第１ブロック上端と垂直レール上端部に、第２ブロックの側端と水平レールの内側端部に、ウエイト取付部上端と垂直レール上端部に、ウエイト取付部下端と回動台上端に、それぞれ衝撃吸収部とストッパーダンパーを相対して取り付けた。【０００９】  本考案は、第１ブロックの滑動および／または水平レールの滑動を自動的に行えるようにするため、特に次の手段を採用した。
垂直レールおよび／または水平レールにボールねじ軸を配設し、該ボールねじ軸の一端にモータを取り付け、第１ブロックおよび／または第２ブロックに前記ボールねじ軸と噛み合うナットを取り付けた。
【考案の効果】
【００１０】  請求項１に記載の考案によれば、次の効果が奏される。
第２ブロックは第１ブロックに固定されており、両者はともに垂直レールに沿って上下動したり停止したりすることができる。水平レールは、その第２ブロックに滑動または停止ができるように嵌合されているから、それととともに上下動しながら、水平方向に滑動することができる。カメラ支持台は、その水平レールに固定できるようになっているから、カメラの種類や撮影条件などに応じ最適の位置に固定される。したがって、カメラ支持台に載ったカメラを手にしたカメラマンは、カメラの動き出し位置を思うとおりの位置に設定した後、カメラを上下方向におよび／または水平方向に動かしたり又は停止させたりしながら、被写体を様々な方向から様々な角度で思うままに撮影することができるようになる。【００１１】  請求項２に記載の考案によれば、特に次の効果が奏される。
基台と回動台とは当接状態で回動または停止できるようになっているから、回動台に垂直レールを介して連なる水平レールは、同一平面上を回転する。したがって、カメラマンは水平レール上のカメラによって、１８０度の広範囲を連続的に又は断続的にスムーズに思うままに撮影することができるようになる。【００１２】  請求項３に記載の考案によれば、特に次の効果が奏される。
ウエイトと第１ブロックとはロープで連結されているから、第１ブロックにかかる荷重とウエイトの重量を同じにしておけば、カメラを水平レール上において、一定位置に停止させておくことができる。また、垂直レールに沿い、カメラを下降させればウエイトもその距離だけ上昇し、カメラを上昇させればウエイトもその距離だけ下降する。これによりスムーズな撮影が可能になる。この機能は、重いカメラを扱うときに極めて有効となる。また、停止させる場合には、第１ブロックまたはウエイトの一方を停止させてもよいし他方を停止させてもよい。停止は停止ノブ２６（図６を参照）を回すことによって行う。【００１３】  請求項４に記載の考案によれば、特に次の効果が奏される。
この考案は、各部品、特にカメラを衝撃から守るうえで高い効果を発揮する。すなわち、第１ブロックはその下降の終点において回動台の上端と、またその上昇の終点において垂直レールの上端部に当接する。水平レールの側端はその左右動の終点において第２ブロックの側端に当接する。ウエイトはその下降の終点において回動台の上端と、またその上昇の終点において垂直レールの上端部に当接する。これらの当接は、緩衝ストッパーとストッパーダンパーにより、極めて緩やかに行われるようになる。【００１４】  請求項５に記載の考案によれば、特に次の効果が奏される。
垂直レールおよび／または水平レールにボールねじ軸のモータを駆動することにより、第１ブロックすなわちカメラを載せた水平レールを自動的に上下動させ、または水平レールの水平移動を自動的に行うことができるようになる。
【図面の簡単な説明】
【００１５】
【図１】は、本考案の一実施例の全体像を示したもので、上半部分は側面図で、下半部分は斜視図である。
【図２】は、基台と回転台との要部を示す斜視図である。
【図３】は、垂直レール、水平レールおよびカメラ支持台の三者の関係を示す斜視図である。
【図４】は、垂直レール、水平レール、第１ブロックおよび第２ブロックの四者の関係を示す斜視図である。
【図５】は、垂直レールと水平レールの関係を示す斜視図である。
【図６】は、垂直レールとウエイト取付部の関係を示す斜視図である。
【図７】は、回動台、垂直レールおよびウエイト取付部の三者の関係を示す斜視図である。
【図８】は、水平レール、垂直レールおよびウエイトの三者の関係を示す斜視図である。
【図９】の（ａ）は、垂直レール上端部、（ｂ）は、垂直レールの下端部を示す斜視図である。
【実施例】
【００１６】  以下添付図面符号を用いて本考案の一実施例について説明する。
請求項１に記載の考案は、図１に示すように、下端に支持脚１を有する垂直レール２と、該垂直レール２と嵌合して（滑り動くようにはまり合って）垂直方向に滑動または停止する第１ブロック３と、該第１ブロック３に固定された第２ブロック４と、該第２ブロック４と嵌合して水平方向に滑動または停止する水平レール５と、該水平レール５に固定できるカメラ支持台６とから構成される。第１ブロック３と第２ブロック４やウエイト取付部１８は、図示されていない市販のスピーディローラーに代えてもよいのは勿論のことである。なお、図１に示すカメラは３Ｄのカメラを示し、カメラ支持台６にカメラプレート１９を介して取り付けられている。【００１７】  第１ブロック３が滑動する機構の一例は、図８および図３に明示されている。第１ブロック３の停止は、図８に示すものにおいて、停止ノブ１５を回してねじ込みその先端を垂直レール２の側面の溝（図示を省略）内に圧接させることによって行うようにしてあるが、他の構成を採用してもよいことは勿論である。第１ブロック３と第２ブロック４との結合状況は、図８に明示され、水平レールを停止させる停止ノブ１６も同図に示されている。カメラ支持台６は、図３に示すように、止めネジ１７を回してねじ込みその先端を水平レール５の側面の溝（図示を省略）内に圧接させることによって行うようになっている。【００１８】  請求項２に記載の考案は、図２に示すように、支持脚１の上端の基台７に対し、垂直レール２の下端の回動台８が当接状態で回動または停止できるように構成される。
すなわち、停止させるときは、ブレーキノブ１４を回して圧接板２４を回動台８の下面に引き寄せる。すると、基台７の上面と回動台８の下面との間の摩擦力が強まり停止できる。ブレーキノブ１４を逆に回せば、摩擦力が弱まり回動台８は自由に回動できるようになる。【００１９】  請求項３に考案は、垂直レール２の上端に滑車９を取り付け（図３および図９を参照）、ウエイト取付部１８によって前記垂直レール２と嵌合し、垂直方向に滑動または停止するウエイト１０（図４および図８を参照）を設け、該ウエイト１０と第１ブロック３とを前記滑車９を介してロープ１１（図３、図４および図９を参照）で連結される。なお、図３のカメラは、取付ネジ２０によりＬ型のカメラ支持台６に取り付けられている。また、同図の２１はハレーションを防ぐレンズフードであり、２２はカメラのレンズである。なお、ウエイト１０は、カメラの重量等に応じて選択することができる。たとえば１５ｋｇのカメラを使用するときは、５ｋｇのウエイトを３個重ねるようにする。その調整は、図４の弾性止め具２５を利用して行う。【００２０】  請求項４に記載の考案は、第１ブロック３下端と回動台８上端に（図１を参照）、第１ブロック３上端と垂直レール２上端部２３に（図４を参照。但しストッパーダンパー１３は図示を省略）、第２ブロック４の側端と水平レール５の内側端部に（図４および図５を参照）、ウエイト取付部１８上端と垂直レール２上端部２３に（図５を参照）、ウエイト取付部１８下端と回動台８上端に（図７を参照）、それぞれ衝撃吸収部１２とストッパーダンパー１３を相対して取り付ける。
衝撃吸収部１２及びストッパーダンパー１３は市販のものが用いられる。【００２２】  請求項５に記載の考案は、図示は省略したが、垂直レールおよび／または水平レールにボールねじ軸を配設し、該ボールねじ軸の一端にモータを取り付け、第１ブロックおよび／または第２ブロックに前記ボールねじ軸と噛み合うナットを取り付けたものであるが、前記のボールねじ軸、モータおよびナットは全て市販のものを用いることができる。
【符号の説明】
【００２３】  １    支持脚
２    垂直レール
３    第１ブロック
４    第２ブロック
５    水平レール
６    カメラ支持台
７    基台
８    回動台
９    滑車
１０  ウエイト
１１  ロープ
１２  衝撃吸収部
１３  ストッパーダンパー
１４  ブレーキノブ
１５  停止ノブ
１６  停止ノブ
１７  止めネジ
１８  ウエイト取付部
１９  カメラプレート
２０  取付ネジ
２１  レンズフード
２２  レンズ
２３  垂直レール上端部
２４  圧接板
２５  弾性止め具
２６  停止ノブ
【図１】
0003176240.tif 000003
【図２】
0003176240.tif 000004
【図３】
0003176240.tif 000005
【図４】
0003176240.tif 000006
【図５】
0003176240.tif 000007
【図６】
0003176240.tif 000008
【図７】
0003176240.tif 000009
【図８】
0003176240.tif 000010
【図９】
0003176240.tif 000011